(57)【要約】【課題】食品容器自体に当該容器としてのオリジナル性を付与でき、食品容器の中身が十分に引き立つようにし、また外蓋体、内蓋体の施蓋構造を備えて施蓋態様を選択できるようにする。【解決手段】食品を収容可能とした透明な食品容器１とし、加圧真空熱成形により江戸切子をイメージした刻設模様Ｌを容器本体２に形成し、容器本体２外面に絵柄模様Ｓを付設する。また、透明な外蓋体３Ａを容器本体２の開口部外周側に被嵌することで閉蓋可能とした外蓋式構造を備え、さらに透明な仕切中蓋４を容器本体２の開口部内に配置可能とする。あるいは、透明な内蓋体３Ｂを容器本体２の開口部内周側に挿嵌することで閉蓋可能とした内蓋式構造をも備える。食品Ｐの内容、陳列形態に対応して外蓋体３Ａ、内蓋体３Ｂのいずれかを選択して容器本体２に施蓋する。【選択図】図１
0003133098.tif 000002
【実用新案登録請求の範囲】
【請求項１】
各種の加工食品を収容可能としたプラスチック製の透明肉薄な食品容器であって、加圧真空熱成形により江戸切子をイメージした刻設模様を容器本体に形成して成ることを特徴とする食品容器。
【請求項２】
容器本体外面は、ラミネート加工により付設した複数色の絵柄模様を含む請求項１記載の食品容器。
【請求項３】
プラスチック製の透明な外蓋体を容器本体の開口部外周側に被嵌することで閉蓋可能とした外蓋式構造を有する請求項１または２記載の食品容器。
【請求項４】
プラスチック製の透明な仕切中蓋を容器本体の開口部内の段差位置に配置可能とした請求項３記載の食品容器。
【請求項５】
容器本体は、その上部開口側にて外周が下向傾斜状に若干屈曲して係止部となった環状縁部を備え、外蓋体の外周に形成された環状張出部の一部環状部分を内側に向けて凹ませて成る被係止突条部を前記係合部に係止可能とした請求項３または４記載の食品容器。
【請求項６】
プラスチック製の透明な内蓋体を容器本体の開口部内周側に挿嵌することで閉蓋可能とした内蓋式構造を有する請求項１または２記載の食品容器。
【請求項７】
容器本体は、その上部開口側における内周側に段差を備え、内蓋体の外周で断面略Ｕ形に折り返されて成る環状嵌合部における窪み部下面が前記段差面上に当接され、段差の上部内周側に突設された嵌合凸部によって、閉蓋された内蓋体が係止固定されるものとした請求項６記載の食品容器。
【請求項８】
環状嵌合部には、一部を外向舌片状に突設して成るフラップを備えている請求項７記載の食品容器。
【請求項９】
容器本体は、その上部開口側にて外周が下向傾斜状に若干屈曲して係止部となった環状縁部を備え、外蓋体の外周に形成された環状張出部の一部環状部分を内側に向けて凹ませて成る被係止突条部を前記係合部に係止可能として外蓋体を施蓋可能にし、また容器本体の上部開口側における内周側に段差を備え、内蓋体の外周で断面略Ｕ形に折り返されて成る環状嵌合部における窪み部下面が前記段差面上に当接され、段差の上部内周側に突設された嵌合凸部によって、閉蓋された内蓋体が係止固定されるものとして内蓋体を施蓋可能にしてあって、外蓋体あるいは内蓋体のいずれか一方を選択して施蓋できるようにしてある請求項１記載の食品容器。
【考案の詳細な説明】
【技術分野】
【０００１】
本考案は、主として種々の加工食品を収納し販売に供するための例えばＡ−ＰＥＴもしくはＯＰＳ等のプラスチック製の透明フィルム材もしくは透明シート材を加圧真空熱成形して、江戸切子のイメージを有して成り、また外蓋式あるいは内蓋式に施蓋可能な食品容器に関する。
【背景技術】
【０００２】
従来、フルーツ、野菜サラダ、菓子類、弁当素材等の種々の食材を収容可能とした食品容器として、食品を収納したまま販売に供し得る丈夫な圧空真空成形プラスチック容器が広く使用されている。この食品容器としては、例えばＡ−ＰＥＴもしくはＯＰＳ等のプラスチック製の透明フィルム材もしくは透明シート材を加圧真空熱成形して製作されるのであるが、これらには絵柄模様その他の装飾処理は施されていないのが現状である。
【０００３】
また、店頭等で陳列する場合、この種の食品容器は、販売現場で食品を収納し閉蓋してから全体をラッピングフィルムで包装している。そしてこのラッピングフィルム自体にカラーコート方式、カラーインクジェット方式、ラミネート方式等の種々の印刷技術で各種色彩による絵柄模様が施されている。
【特許文献１】特になし
【考案の開示】
【考案が解決しようとする課題】
【０００４】
しかしながら、従来においては、食品容器に絵柄模様が施されずに単なる透明な容器であって、当該食品容器を包装するラッピングフィルムの方に各種色彩による絵柄模様が施されているため、食品容器自体に当該容器としてのオリジナル性を持たせることができず、食品容器の中身を引き立たせることができないのであった。
【０００５】
また、この種の食品容器では、容器本体に収納する各種の食品に対応して、容器本体開口部の外側に施蓋する外蓋式あるいは内側に嵌め入れて施蓋する内蓋式とする場合がある。ところが従来の食品容器では一つの容器本体で外蓋式あるいは内側式とすることに適合したいずれか一方の施蓋形態となるようにしか形成されておらず、収納する食品内容、陳列形態等に対応した施蓋形態を選択できる兼用構造のものではなかった。
【０００６】
そこで、本考案は叙上のような従来存した諸事情に鑑み創案されたもので、食品容器自体に当該容器としてのオリジナル性を付与させることができ、食品容器の中身を十分に引き立たせ、際立たせることができると共に、収納する食品内容、陳列形態等に対応して外蓋式あるいは内蓋式に施蓋形態を選択できる食品容器を提供することを目的とする。
【課題を解決するための手段】
【０００７】
上述した課題を解決するため、本考案にあっては、各種の加工食品を収容可能としたプラスチック製の透明肉薄な食品容器１であって、加圧真空熱成形により江戸切子をイメージした刻設模様Ｌを容器本体２に形成して成る。
容器本体２外面には、ラミネート加工により付設した複数色の絵柄模様Ｓを含むものとすることができる。
プラスチック製の透明な外蓋体３Ａを容器本体２の開口部外周側に被嵌することで閉蓋可能とした外蓋式構造を有するものとできる。
プラスチック製の透明な仕切中蓋４を容器本体２の開口部内に配置可能としたものとできる。
容器本体２は、その上部開口側にて外周が下向傾斜状に若干屈曲して係止部２ｄとなった環状縁部２ｃを備え、外蓋体３Ａの外周に形成された環状張出部５の一部環状部分を内側に向けて凹ませて成る被係止突条部６を前記係合部２ｄに係止可能として外蓋式構造とすることができる。
プラスチック製の透明な内蓋体３Ｂを容器本体２の開口部内周側に挿嵌することで閉蓋可能とした内蓋式構造を有するものとできる。
容器本体２は、その上部開口側における内周側に段差２ａを備え、蓋体３の外周で断面略Ｕ形に折り返されて成る環状嵌合部１１における窪み部１２下面が前記段差２ａ面上に当接され、段差２ａの上部内周側に突設された嵌合凸部１７によって、閉蓋された蓋体３が係止固定されるものとして内蓋式構造とすることができる。
環状嵌合部１１には、一部を外向舌片状に突設して成るフラップ１５を備えているものとできる。
また、容器本体２自体はその上部開口側にて外周が下向傾斜状に若干屈曲して係止部２ｄとなった環状縁部２ｃを備え、外蓋体３Ａの外周に形成された環状張出部５の一部環状部分を内側に向けて凹ませて成る被係止突条部６を前記係合部２ｄに係止可能とし、また、容器本体２の上部開口側における内周側に段差２ａを備え、内蓋体３Ｂの外周で断面略Ｕ形に折り返されて成る環状嵌合部１１における窪み部１２下面が前記段差２ａ面上に当接され、段差２ａの上部内周側に突設された嵌合凸部１７によって、閉蓋された内蓋体３Ｂが係止固定されるものとし、外蓋体３Ａあるいは内蓋体３Ｂのいずれか一方を選択して施蓋できるようにして構成することができる。
【０００８】
以上のように構成された本考案に係る食品容器にあって、容器本体２に形成された江戸切子をイメージした刻設模様Ｌ、およびラミネート加工により付設した複数色の絵柄模様Ｓは、食品容器１自体に当該容器としてのオリジナル性を付与させる。
食品容器１は、これの外蓋式構造によって仕切中蓋４を容器本体２の開口部内に配置した状態のまま、容器本体２の開口部外周側に外蓋体３Ａを被嵌することで閉蓋させる。
このとき、外蓋体３Ａの環状張出部５における被係止突条部６を、容器本体２の環状縁部２ｃにおける係合部２ｄに係止固定させる。
また、食品容器１は、これの内蓋式構造によって容器本体２の開口部内周側に内蓋体３Ｂを挿嵌することで閉蓋させる。
このとき、内蓋体３Ｂの環状嵌合部１１における窪み部１２下面を、容器本体２の段差２ａ面上に当接させた際には、容器本体２側の嵌合凸部１７によって内蓋体３Ｂを係止させると同時に、容器本体２の上部開口側を内蓋体３Ｂの環状嵌合部１１の外向の弾発力によって内側から密閉した状態となって支持させる。
環状嵌合部１１のフラップ１５は、これを手指で掴み上げることで、蓋体を取り外し可能にさせる。
また、容器本体２は外蓋式構造、内蓋式構造のいずれをも備えていることで、外蓋体３Ａ、内蓋体３Ｂのいずれをも選択して施蓋可能であり、食品内容、陳列形態等によってこれらの一方を選択して使用可能にさせる。
【考案の効果】
【０００９】
本考案によれば、食品容器１自体に当該容器としてのオリジナル性を付与でき、収納した例えばフルーツ、野菜サラダ、菓子類、弁当素材等の種々の食材等の食品容器１の中身を十分に引き立たせ、際立たせることができると共に収納する食品内容、陳列形態等に対応して外蓋式あるいは内蓋式に施蓋形態を選択できる。
【００１０】
すなわち、これは本考案が、加圧真空熱成形により江戸切子をイメージした刻設模様Ｌを容器本体２に形成して成るからであり、これにより、金剛砂を用いてガラス容器の表面に刻設した江戸切子と同じイメージを食品容器１に付与でき、食品容器１の中身を十分に引き立たせることができる。
【００１１】
また、容器本体２外面は、ラミネート加工により付設した複数色の絵柄模様Ｓを含むので、透明で単調な食品容器１に色彩を加えることにより、透明感を損なうことなくディスプレイ効果が増し、他の商品との差別化が図れる。また、施色によって清涼感が増し、美味しさ感をいっそう引き立たせることができ、しかも色を変えることで商品アイテムを識別することもできる。例えば、フルーツあんみつ、白玉、ところてん等の和菓子や、ハム、サーモン、ローストビーフ、ベーコン、海老等を用いた各種のサラダにおいては、和菓子の色、サラダの野菜本来の色に食品容器１自体の色彩が加わるため、より多くの色に見えるものとなって見栄えがいっそう増すこととなり、これによって高級感を演出することができる。
【００１２】
さらに、プラスチック製の透明な外蓋体３Ａを容器本体２の開口部外周側に被嵌することで閉蓋可能とした外蓋式構造を有するので、外蓋式構造による食品容器１に対し、江戸切子と同じイメージによるオリジナル性を付与できる。
【００１３】
そして、プラスチック製の透明な仕切中蓋４を容器本体２の開口部内周側に配置可能としたので、容器本体２内の食品Ｐと混ざらない状態で、例えばトッピング等の加食品Ｑを容器本体２内に収容できる。
【００１４】
容器本体２は、その上部開口側にて外周が下向傾斜状に若干屈曲して係止部２ｄとなった環状縁部２ｃを備え、外蓋体３Ａの外周に形成された環状張出部５の一部環状部分を内側に向けて凹ませて成る被係止突条部６を前記係合部２ｄに係止可能としてある外蓋式構造を有している。そのため、容器本体２の環状縁部２ｃに対する外蓋体３Ａの着脱が容易であり、しかも閉蓋時には外蓋体３Ａの被係止突条部６を容器本体２の係合部２ｄにしっかりと係止させていることで外蓋体３Ａの不用意な外れを防止でき、且つ容器本体２の環状縁部２ｃの強度的な保護効果も得られる。
【００１５】
一方、プラスチック製の透明な内蓋体３Ｂを容器本体２の開口部内周側に挿嵌することで閉蓋可能とした内蓋式構造を有するので、内蓋式構造による食品容器１に対し、江戸切子と同じイメージによるオリジナル性を付与できる。
【００１６】
容器本体２は、その上部開口側における内周側に段差２ａを備え、内蓋体３Ｂの外周で断面略Ｕ形に折り返されて成る環状嵌合部１１における窪み部１２下面が前記段差２ａ面上に当接され、段差２ａの上部内周側に突設された嵌合凸部１７によって、閉蓋された内蓋体３Ｂが係止固定されるものとしてある内蓋式構造を有している。そのため、閉蓋時には環状嵌合部１１の窪み部１２外壁が内周側に圧縮されながら容器本体２の段差２ａ位置まで挿入された際には、容器本体２側の嵌合凸部１７によって内蓋体３Ｂがしっかりと係止されるものとなり、したがって、内蓋体３Ｂは容器本体２内に確実に嵌り込んだ状態にすることができる。しかも、容器本体２の上部開口側を内蓋体３Ｂの環状嵌合部１１の外向弾発力によって内側から密閉した状態となって支えているため、容器本体２の開口部における補強効果が得られる。
【００１７】
内蓋体３Ｂの環状嵌合部１１には、一部を外向舌片状に突設して成るフラップ１５を備えているので、フラップ１５を手指で掴み上げることで、容器本体２からの内蓋体３Ｂの抜脱を容易に行える。
【００１８】
また、容器本体２は係止部２ｄとなった環状縁部２ｃを備え、外蓋体３Ａは係止部２ｄに係止可能な被係止突条部６を設けることで外蓋式構造とし、さらに容器本体２は段差２ａを備え、内蓋体３Ｂは段差２ａの嵌合凸部１７に係止固定する環状嵌合部１１を設けることで内蓋式構造として、内外蓋兼用構成のものとしてある。そのため、外蓋体３Ａ、内蓋体３Ｂのいずれをも施蓋でき、収納する食品Ｐ、陳列形態等に対応してこれらを選択でき、仕切中蓋４との併用と相俟って多様な収納態様とすることができる。そればかりでなく、容器本体２の開口部には外蓋式構造のための縁部構成、内蓋式構造による段差部構成があることで、容器本体２を一層堅牢なものとし、外部からの衝撃等に対して容易に破損されにくくなる副次的効果も奏する。
【００１９】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００２０】
以下、図面を参照して本考案を実施するための最良の一形態を説明する。図において示される符号１は、各種の加工食品（Ｐ）を収容可能とした例えばＡ−ＰＥＴもしくはＯＰＳ等のプラスチック製の透明肉薄な食品容器である。該食品容器１は、図１に示すように、例えば円形皿状の容器本体２と、該容器本体２の開口部内に配置されるプラスチック製の透明な仕切中蓋４と、該仕切中蓋４を覆うように容器本体２の開口部外周側に被嵌することで閉蓋可能とした外蓋式構造による外蓋体３Ａ、あるいは容器本体２の開口部内周側に挿嵌することで閉蓋可能とする内蓋式構造による内蓋体３Ｂとから成る。
【００２１】
容器本体２は、図３および図４に示すように、その上部開口側において、外向き環状に形成した段差２ａおよびテーパー面２ｂを介して、フラットな環状縁部２ｃが形成され、この環状縁部２ｃ外周は、下向傾斜状に若干屈曲して係止部２ｄとなっている。また、段差２ａとテーパー面２ｂとの境界部分には、内側から外側へ凹んだ嵌合凹部２ｅが円周方向に沿って例えば２４度間隔毎に合計１５個となって形成されている。この段差２ａは、後述する仕切中蓋４の下面周縁部分を載架させるためのものであり、また係止部２ｄは、閉蓋された内蓋体３Ｂの被係止突条部６に係止されるためのものである。
【００２２】
また、容器本体２の側壁面には、江戸切子をイメージした凹凸状の刻設模様Ｌとして、例えば互いに位相をずらした状態の２つの波形の繰り返しパターンによって囲まれた面内に、例えば縦横格子状のラインを設け、これらの各ラインによって囲まれた矩形枠内に例えば三角状もしくは円弧状等の突起を有するものとしている。
【００２３】
この江戸切子とは、ガラス容器の表面に金剛砂を用いて彫刻して成る模様であり、本考案においては、このような江戸切子をイメージした刻設模様Ｌを例えば容器本体２を構成するときの加圧真空熱成形等により容器本体２側壁面に形成している。尚、このような刻設模様Ｌによる江戸切子のイメージは、単なる一例を示したに過ぎず、その他の種々のイメージを採用しても良いことは云うまでもない。
【００２４】
さらに、容器本体２外面には、江戸切子のイメージパターンに対応した複数色の絵柄模様Ｓが例えばラミネート加工等によって付設してある。このときのイメージカラーとしては、例えばオレンジ色とネイビー色、あるいは赤色・緑色・青色・黄色のいずれかとゴールド色等のような２色印刷による種々のカラーバリエーションで形成されている。
【００２５】
仕切中蓋４は、図５に示すように、浅底の円形トレー内に、例えば中心から等角度間隔毎に延びる３つの仕切４ａを介して、３つの収容部を円周に沿って形成したもので、その外周縁部には、容器本体２の上部開口側における環状縁部２ｃの外径と略合致したフランジ部４ｂとなっている。
【００２６】
外蓋体３Ａは、中央が円形状に浅く窪み、外周には断面略Ｌ形に突き出た環状張出部５となって全体が略円形ハット形に形成されている。そして、環状張出部５の一部環状部分を内側に向けて凹ませることで被係止突条部６が形成される。そして、容器本体２が外蓋体３Ａで閉蓋された際には、この被係止突条部６に容器本体２の上部開口側における環状縁部２ｃ先端の係止部２ｄが係止されるものとしている。また、外蓋体３Ａの外周面には、突起状の補強リブ７が形成されている。
【００２７】
この外蓋体３Ａの使用の一例について説明する。食品容器１の加工成形に際し、容器本体２の側壁面には、江戸切子をイメージした刻設模様Ｌを例えば加圧真空熱成形等により形成され、さらに容器本体２外面には、江戸切子のイメージパターンに対応した例えば２色の絵柄模様Ｓが例えばラミネート加工等によって付設される。
【００２８】
使用に際しては、図１に示すように、先ず、容器本体２内部に食品Ｐを収容してから、トッピング等の加食品Ｑを３つの収容部に入れた仕切中蓋４を容器本体２の中に入れる。このとき、図３に示すように、容器本体２の段差２ａに仕切中蓋４の下面周縁部分が載せられ、且つ容器本体２の上部開口側における環状縁部２ｃに仕切中蓋４のフランジ部４ｂが載せられ、仕切中蓋４自体は容器本体２内部で浮いた状態で保持されるため、食品Ｐは潰されるようなことがない。
【００２９】
さらに、この上から外蓋体３Ａが被せられる。このとき、図３に示すように、環状張出部５の係止部２ｄは、閉蓋された外蓋体３Ａの被係止突条部に係止されることで、外蓋体３Ａは容器本体２から不意に外れるようなことがない。しかる後に、必要があれば全体を不図示の透明フィルム等でラッピングしても良い。
【００３０】
図１、図６乃至図８には、内蓋体３Ｂによって施蓋するときの使用形態例が示されている。本使用形態においては、図６に示すように、プラスチック製の透明な内蓋体３Ｂを容器本体２の開口部内周側に挿嵌することで閉蓋可能とする内蓋式構造をも容器本体２が備えるように形成してある。尚、容器本体２の構成において、前述した実施の形態における構造と同じ部分に同じ符号を附することで、これの詳細な説明を省略した。
【００３１】
すなわち、容器本体２には、図４に示すように、その上部開口側において、外向き環状に形成した段差２ａおよびテーパー面２ｂを介して、フラットな環状縁部２ｃがさらに形成されている。そして、段差２ａとテーパー面２ｂとの境界部分には、円周方向に沿って例えば１８度間隔毎に合計２０個の嵌合凸部１７が内側に向けて突設されており、閉蓋された内蓋体３Ｂのテーパー面１３と窪み部１２との境界部分の周囲外側面をこの嵌合凸部１７によって係止して保持できるようにしてある。
【００３２】
一方、内蓋体３Ｂは、図１、図６、図７に示すように、中央が円形状に窪み、外周には断面略Ｕ形に折り返された環状嵌合部１１となって全体が略円形ハット形に形成されている。この環状嵌合部１１は、容器本体２の段差２ａ、テーパー面２ｂ、フラットな環状縁部２ｃそれぞれに対応して、窪み部１２、テーパー面１３によって構成されている。また、テーパー面１３外周の一部には、容器本体２を閉蓋させている内蓋体３Ｂを手指で掴み上げて取り外すためのフラップ１５を外向舌片状に突設してある。
【００３３】
また、内蓋体３Ｂの外周面には、図７に示すように、補強のための長方形状の突条１６が円周に沿って例えば５箇所に延設され、該突条１６の内面側は外方に凹んだ状態となっている。
【００３４】
容器本体２の上部開口側から内蓋体３Ｂを挿嵌する際には、環状嵌合部１１の窪み部１２外壁が内周側に圧縮されながら容器本体２の段差２ａ位置まで挿入し、当該窪み部１２の下面が容器本体２の段差２ａ面上に当接されるようにして係止固定する。このとき、図７に示すように、容器本体２のテーパー面２ｂに、環状嵌合部１１のテーパー面１３が合致当接されて、段差２ａとテーパー面２ｂとの境界部分にある嵌合凸部１７が、内蓋体３Ｂ側のテーパー面１３と窪み部１２との境界部分に食い込むようにして係止されて互いに密閉した状態となる。また、容器本体２から内蓋体３Ｂを外す場合には、フラップ１５を手指で掴み上げれば、簡単に内蓋体３Ｂが容器本体２から取り外せられる。
【００３５】
次に本考案の使用につき説明すると、容器本体２内に収納する食品Ｐの内容、さらには例えば多段的に積み重ねたり、並列配置したりする等の陳列形態に対応して、容器本体２に対して外蓋体３Ａさらには必要に応じて仕切中蓋４を、あるいは内蓋体３Ｂのいずれかを選択する。外蓋体３Ａを選択する場合には容器本体２の外蓋式構造である係止部２ｄに外蓋体３Ａの被係止突条部６を係止する。内蓋体３Ｂを選択する場合には、容器本体２の内蓋式構造である段差２ａに内蓋体３Ｂを挿施し、嵌合凸部１７、環状嵌合部１１を互いに嵌め合わせる。
【００３６】
このように、一つの容器本体２に対して外蓋体３Ａあるいは内蓋体３Ｂのいずれか一方を組み合わせて施蓋すれば良く、多様な施蓋態様による収納を可能にし、容器本体２が江戸切子風の外観を呈することの装飾性と相俟って、陳列場所では一層目立つものとなり、その促販に大きく寄与する。
【図面の簡単な説明】
【００３７】
【図１】本考案を実施するための最良の形態における食品容器の一例を示すもので、容器本体、仕切中蓋、外蓋体、内蓋体それぞれを表す分解斜視図である。
【図２】同じく外蓋体を施蓋したときの斜視図である。
【図３】同じく外蓋体を施蓋したときの縦断面図である。
【図４】同じく容器本体の平面図である。
【図５】同じく仕切中蓋の平面図である。
【図６】本考案の他の使用例を示すもので、内蓋体を施蓋したときの斜視図である。
【図７】同じく内蓋体を施蓋したときの縦断面図である。
【図８】同じく内蓋体を示す平面図である。
【符号の説明】
【００３８】
Ｐ…食品                                Ｑ…加食品
Ｌ…刻設模様                            Ｓ…絵柄模様
１…食品容器                            ２…容器本体
２ａ…段差                              ２ｂ…テーパー面
２ｃ…環状縁部                          ２ｄ…係止部
２ｅ…嵌合凹部                          ３Ａ…外蓋体
３Ｂ…内蓋体                            ４…仕切中蓋
４ａ…仕切                              ４ｂ…フランジ部
５…環状張出部                          ６…被係止突条部
７…補強リブ                            １１…環状嵌合部
１２…窪み部                            １３…テーパー面
１５…フラップ                          １６…突条
１７…嵌合凸部
【図１】
0003133098.tif 000003
【図２】
0003133098.tif 000004
【図３】
0003133098.tif 000005
【図４】
0003133098.tif 000006
【図５】
0003133098.tif 000007
【図６】
0003133098.tif 000008
【図７】
0003133098.tif 000009
【図８】
0003133098.tif 000010